(57)【要約】【課題】主要被写体を強調して照明する。【解決手段】被写体光を撮像する撮像部１２と、撮影画角内の全領域を照明する照明光を発光する照明部１８と、前記撮像部から出力される画像データに含まれる主要被写体を検出する検出部４と、前記撮影画角内において、前記主要被写体を含む所定の領域が前記所定の領域以外の他の領域よりも明るくなるように前記照明光を調整する照明制御部２０とを備える。【選択図】図１
2015045771.tif 000002
【特許請求の範囲】
【請求項１】
被写体光を撮像する撮像部と、
撮影画角内の全領域を照明する照明光を発光する照明部と、
前記撮像部から出力される画像データに含まれる主要被写体を検出する検出部と、
前記撮影画角内において、前記主要被写体を含む所定の領域が前記所定の領域以外の他の領域よりも明るくなるように前記照明光を調整する照明制御部と
を備えることを特徴とするデジタルカメラ。
【請求項２】
前記照明部は複数の光源を備え、
前記照明制御部は、前記所定の領域を照明する光源から発光される照明光の発光量を維持すると共に、前記他の領域を照明する光源からの照明光の発光を中止させ、
更に、前記撮像部の撮影感度を所定量上昇させる感度制御部と、
前記撮影感度を上昇させた状態における露出値を決定する露出制御部と
を備えることを特徴とする請求項１記載のデジタルカメラ。
【請求項３】
前記照明部は複数の光源を備え、
前記照明制御部は、前記所定の領域を照明する光源から発光される照明光の発光量を維持すると共に、前記他の領域を照明する光源から発光される照明光の発光量を低下させ、
更に、前記照明光の発光量を低下させた状態における露出値を決定する露出制御部
を備えることを特徴とする請求項１記載のデジタルカメラ。
【請求項４】
前記照明部は単一の光源を備え、
前記照明制御部は、前記光源から発光される照明光による照明範囲を前記撮影画角内の全領域から前記所定の領域に限定し、
更に、前記撮像部の撮影感度を所定量上昇させる感度制御部と、
前記撮影感度を上昇させた状態における露出値を決定する露出制御部と
を備えることを特徴とする請求項１記載のデジタルカメラ。
【請求項５】
前記照明制御部は、前記画像データに含まれる前記主要被写体の位置の変化に合わせて前記照明光の発光量、または前記照明光による照明範囲を変化させることを特徴とする請求項１〜４の何れか一項に記載のデジタルカメラ。
【請求項６】
前記検出部は、顔認識機能を備えることを特徴とする請求項１〜５の何れか一項に記載のデジタルカメラ。
【発明の詳細な説明】
【技術分野】
【０００１】
本発明は、照明光を発光して被写体の撮影を行うデジタルカメラに関するものである。
【背景技術】
【０００２】
従来、被写体の明るさの変化に応じて照明装置の発光量を調整できる動画撮像装置が知られている（特許文献１参照）。
【先行技術文献】
【特許文献】
【０００３】
【特許文献１】特開２００５−３５４１５５号公報
【発明の概要】
【発明が解決しようとする課題】
【０００４】
しかしながら、上述の動画撮像装置においては、撮影画角に含まれる一部の領域をスポット照射することはできないことから、主要被写体のみを強調して照明することはできなかった。
【０００５】
本発明の目的は、主要被写体を強調して照明することができるデジタルカメラを提供することである。
【課題を解決するための手段】
【０００６】
本発明のデジタルカメラは、被写体光を撮像する撮像部と、撮影画角内の全領域を照明する照明光を発光する照明部と、前記撮像部から出力される画像データに含まれる主要被写体を検出する検出部と、前記撮影画角内において、前記主要被写体を含む所定の領域が前記所定の領域以外の他の領域よりも明るくなるように前記照明光を調整する照明制御部とを備えることを特徴とする。
【発明の効果】
【０００７】
本発明のデジタルカメラによれば、主要被写体を強調して照明することができる。
【図面の簡単な説明】
【０００８】
【図１】第１の実施の形態に係るデジタルカメラの構成を示すブロック図である。
【図２】第１の実施の形態に係るデジタルカメラの照明部を示す図である。
【図３】第１の実施の形態に係るデジタルカメラの照明部によって照明される領域を示す図である。
【図４】第１の実施の形態に係るデジタルカメラにおける動画撮影処理を示すフローチャートである。
【図５】第２の実施の形態に係るデジタルカメラの構成を示すブロック図である。
【図６】第２の実施の形態に係るデジタルカメラのスリットの構成を示す図である。
【図７】第２の実施の形態に係るデジタルカメラのスリットの構成を示す図である。
【図８】第２の実施の形態に係るデジタルカメラにおける動画撮影処理を示すフローチャートである。
【図９】実施の形態に係るデジタルカメラの前面に複数のＬＥＤを配置した状態を示す図である。
【発明を実施するための形態】
【０００９】
以下、図面を参照して、第１の実施の形態に係るデジタルカメラについて説明する。図１は第１の実施の形態に係るデジタルカメラ２のシステム構成を示すブロック図である。図１に示すように、デジタルカメラ２は、ＣＰＵ４を備え、ＣＰＵ４には、操作部１０、被写体光を撮像して撮像信号を生成する撮像素子１２、撮像素子１２からの撮像信号に基づく画像を表示するＬＣＤ表示部１４、照明部１８の点灯、消灯及び照明部１８から射出される照明光の発光量を制御する照明制御部２０、画像データから人物の顔を認識する顔認識部２２、及び画像データを記憶するメモリカード２４が接続されている。
【００１０】
ここで、操作部１０は、電子カメラ２の電源をオン／オフする電源スイッチ（図示せず）、動画撮影ボタン（図示せず）等を備えている。また、撮像素子１２は、ＣＭＯＳイメージセンサ等により構成されている。ここで、照明部１８は、デジタルカメラ２の前面の所定の位置に配置されている。
【００１１】
図２は、照明部１８を正面（被写体側）から視た図である。図２に示すように、照明部１８は、光源としてＬＥＤ１９ａ、ＬＥＤ１９ｂ、ＬＥＤ１９ｃ、ＬＥＤ１９ｄ、ＬＥＤ１９ｅ、及びＬＥＤ１９ｆを備えている。なお、ここでは矩形状の照明部１８に６個のＬＥＤが配置されている場合を例に説明するが、照明部１８の形状や照明部１８に配置されるＬＥＤの個数、位置については、この例に限定されない。
【００１２】
ここで、図３に示すように、ＬＥＤ１９ａは、撮影画角内においてＬＣＤ表示部１４の右上に表示される領域Ａを照明する。また、ＬＥＤ１９ｂは、撮影画角内においてＬＣＤ表示部１４の中上に表示される領域Ｂを照明し、ＬＥＤ１９ｃは、ＬＣＤ表示部１４の左上に表示される領域Ｃを照明する。同様に、ＬＥＤ１９ｄは、ＬＣＤ表示部１４の右下に表示される領域Ｄを照明し、ＬＥＤ１９ｅは、ＬＣＤ表示部１４の中下に表示される領域Ｅを照明し、ＬＥＤ１９ｆは、ＬＣＤ表示部１４の左下に表示される領域Ｆを照明する。なお、破線で示す円は、各ＬＥＤから射出された照明光によって照明される照明範囲を示しており、照明部１８に含まれる全てのＬＥＤから照明光を射出させることにより、撮影画角内に含まれる全領域を照明することができる。
【００１３】
次に、図４を参照して、第１の実施の形態に係るデジタルカメラ２における動画撮影処理について説明する。まず、電源がオンにされると、ＣＰＵ４は、撮像素子１２による撮像を開始し、撮像素子１２から所定のフレームレートで読み出した撮像信号に基づきＬＣＤ表示部１４にスルー画像の表示を行う。
【００１４】
なお、ＣＰＵ４は、撮像を開始する際に露出制御動作（ＡＥ）及び焦点調整動作（ＡＦ）を行う。即ち、撮像素子１２から出力される撮像信号に基づいて露出制御動作を行い、適正露出が得られるようにシャッター速度および絞り値を確定する。例えば、多分割測光方式によって露出制御動作を行う場合には、撮影画角内の被写体領域を複数の分割領域に分割して分割領域毎に測光値を検出する。そして、分割領域毎の測光値を演算処理して最適露出値を決定し、シャッター速度および絞り値を確定する。また、ＣＰＵ４は、撮像素子１２から読出された焦点検出信号を用いて瞳分割による焦点検出処理によりデフォーカス量を求め、図示しない撮影レンズの合焦を行なう。ここで、撮像素子１２を構成するＣＭＯＳイメージセンサには、瞳分割位相差方式による焦点検出画素が組み込まれているものとする。
【００１５】
次に、動画撮影ボタンが操作されると、ＣＰＵ４は、動画撮影処理を開始する（ステップＳ１）。まず、照明制御部２０により、照明部１８に含まれる全てのＬＥＤを点灯し（ステップＳ２）、全てのＬＥＤから照明光を射出させる。これにより、それぞれのＬＥＤに対応する領域に向けて照明光が射出され、撮影画角内に含まれる全領域が照明される。
【００１６】
次に、ＣＰＵ４は、撮影画角内に含まれる全領域が照明された状態において、撮像素子１２から出力される撮像信号に基づく画像データの連続取得を開始する（ステップＳ３）。
【００１７】
次に、ＣＰＵ４は、顔認識部２２により、画像データから人物の顔を検出する処理を実施する（ステップＳ４）。ここで、画像データから人物の顔が検出されない場合、ＣＰＵ４は、撮影画角内に含まれる全領域を照明した状態で画像データの連続取得を継続する。
【００１８】
一方、画像データから人物の顔が検出された場合、ＣＰＵ４は、照明光により照明される領域を人物の顔が存在する領域に限定する（ステップＳ５）と共に、デジタルカメラ２において設定されているＩＳＯ感度を上昇させ（ステップＳ６）、露出制御動作（ＡＥ）及び焦点調整動作（ＡＦ）を行う（ステップＳ７）。
【００１９】
即ち、ＣＰＵ４は、画像データから人物の顔が検出された位置に基づいて人物の顔が存在する領域を特定する。次に、照明制御部２０により、人物の顔が存在する領域を照明しているＬＥＤを点灯したまま発光量を維持すると共に、人物の顔が存在しない領域を照明しているＬＥＤを消灯する（ステップＳ５）。
【００２０】
例えば、図３に示す領域Ａに人物の顔が存在する場合、照明制御部２０は、ＬＥＤ１９ａのみを点灯したまま発光量を維持し、他のＬＥＤを消灯する。また、図３に示す領域Ａ及び領域Ｆに人物の顔が存在する場合、照明制御部２０は、ＬＥＤ１９ａとＬＥＤ１９ｆを点灯したまま発光量を維持し、他のＬＥＤを消灯する。これにより、撮影画角内において人物の顔が存在する領域に限定して照明光が射出（以下、スポット照射という。）される。
【００２１】
また、ＣＰＵ４は、デジタルカメラ２において設定されているＩＳＯ感度を上昇させる処理を行う（ステップＳ６）。ここで、ＩＳＯ感度の上昇度合いは、人物の顔の部分が白とびせず、かつ人物の顔以外の部分が黒つぶれしないように決定される。
【００２２】
更に、ＣＰＵ４は、露出制御動作（ＡＥ）を行うと共に、撮影レンズの焦点が人物の顔の位置に合うように焦点調整動作（ＡＦ）を行う（ステップＳ７）。なお、人物の顔が複数検出された場合には、操作者によって指定された顔の位置に焦点を合わせる。
【００２３】
第１の実施の形態に係るデジタルカメラ２によれば、画像データから人物の顔が検出された場合において、人物の顔が存在する領域を照明しているＬＥＤのみを点灯したまま発光量を維持し、かつ人物の顔が存在しない領域を照明しているＬＥＤを消灯するため、人物の顔を強調して照明することができる。
【００２４】
次に、第２の実施の形態に係るデジタルカメラの処理について説明する。この第２の実施の形態に係るデジタルカメラは、第１の実施の形態の複数のＬＥＤに代えて単独の光源ランプを備えるようにしたものである。また、図５に示すデジタルカメラ２００のブロック図に示すようにスリット制御部３４を備え、光源ランプ３０の前面に配置されたスリットをスリット制御部３４により制御することによりスリットの開口位置や開口幅を変更し、照明光によって照明される範囲を調整できるようにしたものである。従って、第２の実施の形態では、第１の実施の形態の構成と同一の構成についての詳細な説明は省略し、異なる部分のみについて説明する。また、第１の実施の形態の構成と同一の構成には同一の符号を付して説明する。
【００２５】
図６及び図７は、第２の実施の形態に係るデジタルカメラ２００の光源ランプ３０の前面に備えられるスリットを示す図である。スリットとしては、図６に示すように、左右方向に延びる矩形状の開口部３３ａを形成する横スリット３２ａ、または図７に示すように、上下方向に延びる矩形状の開口部３６ａを形成する縦スリット３２ｂが用いられる。
【００２６】
ここで、横スリット３２ａは、図６に示すように、撮影画角内の上部に射出される照明光を遮光する上部スリット３３ｂ、及び撮影画角内の下部に射出される照明光を遮光する下部スリット３３ｃを有している。この場合、ＣＰＵ４は、スリット制御部３４により、上部スリット３３ｂ及び下部スリット３３ｃの少なくとも一方を上下何れかの方向に移動させ、開口部３３ａの上下方向の位置、及び幅を調整する。
【００２７】
また、縦スリット３２ｂは、図７に示すように、撮影画角内の左側に射出される照明光を遮光する左スリット３６ｂ、及び撮影画角内の右側に射出される照明光を遮光する右スリット３６ｃを有している。この場合、ＣＰＵ４は、スリット制御部３４により、左スリット３６ｂ及び右スリット３６ｃの少なくとも一方を左右何れかの方向に移動させ、開口部３６ａの左右方向の位置、及び幅を調整する。
【００２８】
次に、図８を参照して、第２の実施の形態に係るデジタルカメラ２００における動画撮影処理について説明する。ＬＣＤ表示部１４にスルー画像が表示された状態において動画撮影ボタンが操作されると、ＣＰＵ４は動画撮影処理を開始する（ステップＳ１１）。
【００２９】
まず、ＣＰＵ４は、光源ランプ３０を点灯し（ステップＳ１２）、光源ランプ３０から照明光を射出させる。なお、この時点において、スリットの開口部の幅は最大幅に調整されている。このため、光源ランプ３０から射出された照明光は、スリットによって遮光されることなく照射され、撮影画角内に含まれる全領域が照明光によって照明される。
【００３０】
次に、ＣＰＵ４は、撮影画角内に含まれる全領域が照明された状態において、撮像素子１２から出力される撮像信号に基づく画像データの連続取得を開始する（ステップＳ１３）。
【００３１】
次に、ＣＰＵ４は、顔認識部２２により、画像データから人物の顔を検出する処理を実施する（ステップＳ１４）。ここで、画像データから人物の顔が検出されない場合、ＣＰＵ４は、撮影画角内に含まれる全領域を照明した状態で画像データの連続取得を継続する。
【００３２】
一方、画像データから人物の顔が検出された場合、ＣＰＵ４は、照明光により照明される領域を人物の顔が存在する領域に限定する（ステップＳ１５）と共に、デジタルカメラ２において設定されているＩＳＯ感度を上昇させ（ステップＳ１６）、露出制御動作（ＡＥ）及び焦点調整動作（ＡＦ）を行う（ステップＳ１７）。
【００３３】
即ち、ＣＰＵ４は、画像データから人物の顔が検出された位置に基づいて人物の顔が存在する領域を特定する。次に、ＣＰＵ４は、スリット制御部３４により、上部スリット３３ｂ及び下部スリット３３ｃの少なくとも一方を上下何れかの方向に移動させ、または左スリット３６ｂ及び右スリット３６ｃの少なくとも一方を左右何れかの方向に移動させ、照明光によって照明される照明範囲が人物の顔を含む所定の領域に限定されるように、開口部３３ａ、または開口部３６ａの位置と幅を調整する（ステップＳ１５）。
【００３４】
また、ＣＰＵ４は、デジタルカメラ２において設定されているＩＳＯ感度を上昇させる処理を行う（ステップＳ１６）。ここで、ＩＳＯ感度の上昇度合いは、人物の顔の部分が白とびせず、かつ人物の顔以外の部分が黒つぶれしないように決定される。
【００３５】
更に、ＣＰＵ４は、露出制御動作（ＡＥ）を行うと共に、撮影レンズの焦点が人物の顔の位置に合うように焦点調整動作（ＡＦ）を行う（ステップＳ１７）。
【００３６】
第２の実施の形態に係るデジタルカメラ２００によれば、画像データから人物の顔が検出された場合において、スリットにより、照明光によって照明される範囲を人物の顔が含まれる所定の範囲に限定するため、人物の顔を強調して照明することができる。
【００３７】
なお、上述の第１の実施の形態において、画像データから人物の顔が検出された場合に、照明制御部２０により、人物の顔が存在しない領域を照明しているＬＥＤの発光量を低下させてもよい。例えば、図３に示す領域Ａに対応する位置に人物の顔が存在する場合、ＣＰＵ４は、ＬＥＤ１９ａから射出される照明光の発光量をそのまま維持し、他のＬＥＤから射出される照明光の発光量を低下させる。
【００３８】
次に、ＣＰＵ４は、露出制御動作（ＡＥ）及び焦点調整動作（ＡＦ）を行う。例えば、人物の顔の存在する領域が適正な明るさとなるように最適露出値を決定すると共に、撮影レンズの焦点が人物の顔の位置に合うように焦点調整を行う。これにより、人物の顔が存在する領域をスポット照射しながら動画像を撮像した場合において、人物の顔の部分が白とびせず、かつ人物の顔以外の部分が黒つぶれしないようにすることができる。
【００３９】
また、上述の第１の実施の形態においては、複数のＬＥＤ１９ａ〜１９ｆを有する照明部１８をデジタルカメラ２の前面に備える場合を例に説明しているが、図９に示すように、複数のＬＥＤ１９ａ〜１９ｆをそれぞれデジタルカメラ２の前面の所定の位置に備えるようにしてもよい。
【００４０】
また、上述の第２の実施の形態において、図６に示す横スリット３２ａと図７に示す縦スリット３２ｂを併せて備えるようにしてもよい。この場合、ＣＰＵ４は、スリット制御部３４により、上部スリット３３ｂ及び下部スリット３３ｃの少なくとも一方を上下何れかの方向に移動させ、かつ左スリット３６ｂ及び右スリット３６ｃの少なくとも一方を左右何れかの方向に移動させることにより、開口部の位置とサイズを自在に調整することができる。
【００４１】
また、上述の第２の実施の形態において、スリット、及びスリット制御部３４に代えて、光源ランプ３０の向きを自在に変更可能な方向制御部、及び光源ランプ３０の前方の周囲を覆うフード、フードの角度（広角、挟角）を調整するフード調整部を備えてもよい。そして、画像データから人物の顔が検出された場合、方向制御部により光源ランプ３０の向きを人物の顔が存在する方向に合わせると共に、フード調整部によりフードの角度を調整し、照明光による照明範囲を人物の顔が存在する範囲に限定する。これにより、第１の実施の形態において説明した場合と同様に、人物の顔が存在する領域をスポット照射することができる。
【００４２】
なお、この場合、フードに代えて、光源ランプ３０の前方に、開口径を変化させることにより通過する光の量を調整することが可能な遮光部を備え、遮光部の開口径を変化させて照射範囲を調整してもよい。
【００４３】
また、上述の各実施の形態の動画撮影時において、顔認識部２２により顔認識処理を継続して行い、人物の顔の位置の変化に合わせてスポット照射する領域を変化させてもよい。これにより、人物が移動した場合、人物の顔を追尾して照明することができる。
【００４４】
また、上述の各実施の形態において、顔認識部２２に代えて、画像データから主要被写体を認識する主要被写体認識部を備えてもよい。この場合、主要被写体認識部は、動画撮影時において公知の主要被写体認識技術を用いて画像データから主要被写体を認識する。従って、主要被写体に対して照明光のスポット照射を行いつつ、動画撮影を行うことができる。
【符号の説明】
【００４５】
２、２００…デジタルカメラ、４…ＣＰＵ、１２…撮像素子、１４…ＬＣＤ表示部、１８…照明部、１９ａ〜１９ｆ…ＬＥＤ、２０…照明制御部、２２…顔認識部、３０…光源ランプ、３４…スリット制御部
【図１】
2015045771.tif 000003
【図２】
2015045771.tif 000004
【図３】
2015045771.tif 000005
【図４】
2015045771.tif 000006
【図５】
2015045771.tif 000007
【図６】
2015045771.tif 000008
【図７】
2015045771.tif 000009
【図８】
2015045771.tif 000010
【図９】
2015045771.tif 000011